(57)【要約】【課題】本発明は、ＯＳＵ切替中の管理テーブル引継ぎが不要となり、切替時間の増大を回避することを目的とする。【解決手段】本願発明の光通信システムは、ＯＳＵ１５および集線スイッチ４０がマルチキャストのプロキシ機能を持つＰＯＮシステムにおいて、事前に（正常通信中に）ＯＳＵ１５間で管理テーブル５１を引継いておき、引継ぎ中や引継ぎ完了直後に、テーブル内容の変更が生じた場合（視聴要求や離脱要求を受信した場合）、その差分を実質的なＯＳＵ切替中（上り下りバッファリング中）に切替先ＯＳＵ１５へ引き継ぐ。【選択図】図６
2015073195.tif 000002
【特許請求の範囲】
【請求項１】
複数のＯＳＵ（Ｏｐｔｉｃａｌ  Ｓｕｂｓｃｒｉｂｅｒ  Ｕｎｉｔ）と、
経路を切り替えることで前記ＯＳＵのいずれかと接続可能である少なくとも１のＯＮＵ（Ｏｐｔｉｃａｌ  Ｎｅｔｗｏｒｋ  Ｕｎｉｔ）と、
を備える光通信システムであって、
各ＯＳＵは、自己に接続されている各ＯＮＵの配信チャネルのリストを含むマルチキャストテーブル（以下、ＯＳＵテーブル）を備え、
１のＯＳＵ（以下、切替元ＯＳＵとする。）から他のＯＳＵ（以下、切替先ＯＳＵとする。）へ経路を切り替える際に、前記切替元ＯＳＵの有する前記ＯＳＵテーブルの内容を、前記切替先ＯＳＵの有する前記ＯＳＵテーブルへ反映させた後に、前記切替先ＯＳＵと前記ＯＮＵとの通信を開始する、
光通信システム。
【請求項２】
前記切替元ＯＳＵは、前記ＯＳＵテーブルを前記切替先ＯＳＵへ反映開始後にＯＮＵからマルチキャスト制御信号を受信した場合、当該マルチキャスト制御信号を保持する、
請求項１記載の光通信システム。
【請求項３】
前記切替先ＯＳＵは、前記切替先ＯＳＵとＯＮＵとの通信を開始する前に、前記切替元ＯＳＵに保持されている前記マルチキャスト制御信号を、前記切替先ＯＳＵの前記ＯＳＵテーブルへ反映させる、
請求項２記載の光通信システム。
【請求項４】
ＯＮＵは、ＯＳＵの指示に従ってマルチキャストフレームを扱うマルチキャストフィルタ機能を備え、
前記切替先ＯＳＵは、前記ＯＳＵテーブルに保持されている前記マルチキャスト制御信号が配信要求である場合、マルチキャストフレームをＯＮＵに接続されている端末装置へ通過させるように前記マルチキャストフィルタを操作するとともに、マルチキャストフレームの配信要求を上位ネットワークへ通知する、
請求項３記載の光通信システム。
【請求項５】
ＯＮＵは、ＯＳＵの指示に従ってマルチキャストフレームを扱うマルチキャストフィルタ機能を備え、
前記切替先ＯＳＵは、前記ＯＳＵテーブルに保持されている前記マルチキャスト制御信号が離脱要求である場合、ＯＮＵとの通信開始後に、マルチキャストフレームの配信停止可否を確認するための制御信号をＯＮＵへ送信するとともに、ＯＮＵからの応答を任意の時間だけ待ち、設定された時間の経過以前に応答がない場合、離脱要求のあったマルチキャストフレームを廃棄するようにＯＮＵにおける前記マルチキャストフィルタを操作するとともに、マルチキャストフレームの配信停止要求を上位ネットワークへ通知する、
請求項３記載の光通信システム。
【請求項６】
ＯＳＵが、Ｆａｓｔ−Ｌｅａｖｅ機能を有する場合、
前記切替先ＯＳＵは、前記Ｆａｓｔ−Ｌｅａｖｅ機能を用いて、マルチキャストフレームの配信停止可否を確認し、マルチキャストフレームの配信停止可否を確認するための前記制御信号の送信及び応答待ちを省略する、
ことを特徴とする、請求項５記載の光通信システム。
【請求項７】
請求項１から６のいずれかに記載の光通信システムが備えるＯＳＵ。
【請求項８】
請求項１から６のいずれかに記載の光通信システムが備えるＯＮＵ。
【発明の詳細な説明】
【技術分野】
【０００１】
本発明は、光通信システムに関し、特にＯＳＵを冗長化したＰＯＮシステムに関する。
【背景技術】
【０００２】
図１は、現在のアクセスネットワークの代表的な構成であるＰａｓｓｉｖｅ  Ｏｐｔｉｃａｌ  Ｎｅｔｗｏｒｋ（ＰＯＮ）１１とＬａｙｅｒ  ２  ｓｗｉｔｃｈ（Ｌ２ＳＷ）１２からなる構成を示すものである。ＰＯＮ１１は、Ｏｐｔｉｃａｌ  Ｌｉｎｅ  Ｔｅｒｍｉｎａｌ（ＯＬＴ、局側終端装置）１４と光カプラ１８と光ファイバ１９とＯｐｔｉｃａｌ  Ｎｅｔｗｏｒｋ  Ｕｎｉｔ（ＯＮＵ、加入者終端装置）１７とで構成される。ＯＬＴ１４は、複数のＯｐｔｉｃａｌ  Ｓｕｂｓｃｒｉｂｅｒ  Ｕｎｉｔ（ＯＳＵ）１５を収容するとともに、それらのＯＳＵ１５を制御する制御盤（ＣＯＮＴ）２０を具備する。また、各ＯＳＵ１５は複数（例えば３２）のＯＮＵ１７を接続する。ＰＯＮ１１ではＯＳＵ１５およびＯＳＵ１５−光カプラ１８間の光ファイバ１９を複数のＯＮＵで共有するため、低コストにサービスを提供できる。
【０００３】
Ｌ２ＳＷ１２は、ＰＯＮ１１およびコアネットワーク１３へ接続するポートを多数備えており、ＰＯＮ１１側の各ポートは１本の配線で１台のＯＳＵ１５に接続される。Ｌ２ＳＷ１２は集線機能を備えるため、ＰＯＮ側ポートに接続された配線数よりも少ない数の配線がコアネットワーク１３側のポートに接続され、ＯＳＵ１５からの配線を集線してコアネットワーク１３へ繋げることになる。これゆえ、このＬ２ＳＷ１２を集線スイッチ４０と称する。
【０００４】
集線スイッチ４０は上位から下りフレームを受信すると、そのフレームに付けられた識別子（例えばＶｉｒｔｕａｌ  ＬＡＮ  Ｉｄｅｎｔｉｆｉｅｒ（ＶＩＤ））を読む。集線スイッチ４０の各ＰＯＮ側ポートには予め、対応するＶＩＤ番号が登録されているので、集線スイッチ４０は受信した下りフレームを、どのＰＯＮ側ポートに振分ければよいか分かる。そして、各ＰＯＮ側ポートに登録されたＶＩＤ番号に対応するＯＮＵ１７が、そのＰＯＮ側ポートに接続されるＯＳＵ１５を介して収容されているので、任意のＰＯＮ側ポートに振分けられた任意のＶＩＤ番号の下りフレームは、ＯＳＵ１５を経由して、該当のＯＮＵ１７へ届けられる。一方、各ＯＳＵ１５からの上りフレームに対しては、それぞれ受信した後、任意のスケジューリング方法により決定された送信順位に従って、集線スイッチから上位へ出力される。
【０００５】
図１に示した例では、集線スイッチ４０のＰＯＮ側ポートとＯＳＵ１５との接続は１：１の関係にあり、また、集線スイッチ４０は複数のＯＬＴ１４を収容可能な数のＰＯＮ側ポートを備えているので、例えば最大限にＯＬＴ１４を収容する場合、それら全ＯＬＴ１４に収容される全ＯＳＵ１５の数と同じ数の配線が集線スイッチ４０−ＯＬＴ１４間で結ばれる。
【０００６】
なお、上記の説明では、集線スイッチ４０は、ＯＬＴ１４に外付けするものとしたが、ＯＬＴ１４に内蔵してもよい。さらに、複数のＯＬＴ１４で、集線スイッチ４０を共有してもよい。図１の構成は、集線スイッチ４０をＯＬＴ１４の外付けとし、複数のＯＬＴ１４で共有したものである。また、集線スイッチ４０は、多段構成としてもよい。
【０００７】
このような構成のアクセスネットワークの下で、現在、様々なサービスが普及している。例えば映像配信サービスは、図２に示すネットワーク構成においてマルチキャストを用いて実現されている。ＯＮＵ１７の配下に映像サービスを受信するユーザ端末（ホスト）２１が接続され、集線スイッチ４０の上位にマルチキャストルータ３１を介して映像配信サーバ３２が接続される。ここで、１台のＯＮＵ１７に接続されるホスト２１は複数台でもよい。映像配信サーバ３２は、マルチキャストルータ３１へ向けて常時、各々の番組（チャネル）に相当する各々のマルチキャストフレームを流している。マルチキャストルータ３１は、ＯＮＵ１７、ＯＳＵ１５及び集線スイッチ４０を介してホスト２１から視聴要求のあったチャネルのマルチキャストフレームを、視聴要求元のホスト２１を収容するＯＳＵ１５へ、集線スイッチ４０を介して送信する。ＯＳＵ１５は、自配下ＯＮＵ１７と視聴チャネルの対応を記したマルチキャスト管理テーブル（以下、単に管理テーブルとする）を保持しており、この結果、自配下のどのＯＮＵ１７がどのチャネルを受信しているのかを把握している。ただし、複数のホスト２１を接続するＯＮＵ１７が複数のチャネルを受信している場合、どのホスト２１がどのチャネルを視聴しているのかは分からない。この管理テーブルは、ＯＮＵ１７から視聴要求や離脱要求を受信するとその内容の通りに更新され、必要に応じてＯＳＵ１５は、集線スイッチ４０を介してマルチキャストルータ３１へ視聴要求や配信停止のメッセージを送信する。なお、視聴要求や離脱要求の信号は、マルチキャスト通信で一般的に普及しているＩＧＭＰ（Ｉｎｔｅｒｎｅｔ  Ｇｒｏｕｐ  Ｍａｎａｇｅｍｅｎｔ  Ｐｒｏｔｏｃｏｌ）やＭＬＤ（Ｍｕｌｔｉｃａｓｔ  Ｌｉｓｔｅｎｅｒ  Ｄｉｓｃｏｖｅｒｙ）に相当する。
【０００８】
ＯＳＵ１５がマルチキャストフレームを適切にＯＮＵ１７へ配信する方法としては、全ＯＮＵ１７へブロードキャストで配信する方法が知られている。この方法では、全ＯＮＵ１７にマルチキャストフレームが到着するため、視聴を希望していないチャネルのマルチキャストフレームがＯＮＵ１７へ届く場合がある。したがって、各ＯＮＵ１７は必要なチャネル（配下のホストが視聴要求しているチャネル）のマルチキャストフレームのみを透過し、不要なチャネルのマルチキャストフレームを廃棄する必要がある。そのためのフィルタ機能を各ＯＮＵ１７は具備しており、ＯＮＵ１７から任意のチャネルの視聴要求があった場合、そのチャネルのマルチキャストフレームのみを透過し、他のマルチキャストフレームは廃棄するよう、そのＯＮＵ１７のフィルタの開閉を設定することによって、そのＯＮＵ１７配下のホストは所望の映像を視聴できる。このようなＯＮＵフィルタの設定を非特許文献１記載のＧＥ−ＰＯＮ（Ｇｉｇａｂｉｔ  Ｅｔｈｅｒｎｅｔ（登録商標）  ＰＯＮ）システムでは、ＯＳＵが配下のＯＮＵに対して該当フィルタのＯｐｅｎまたはＣｌｏｓｅを指示したＯＡＭ（Ｏｐｅｒａｔｉｏｎ，  Ａｄｍｉｎｉｓｔｒａｔｉｏｎ  ａｎｄ  Ｍａｉｎｔｅｎａｎｃｅ）フレームを送信することによって行われる。ここでＯＡＭフレームは、ＰＯＮ区間の制御用に使われるフレームである。
【０００９】
一般的に、アクセスネットワークを構成する運用中の装置に機能拡充や不具合修正などの必要性が生じた場合、オペレーション操作を通して該当装置のファームウェア（ＦＷ）を更新することが行われる。しかしこの際に、該当装置の再起動を伴うため、例えばＯＳＵ１５のＦＷを更新する場合には配下の全ＯＮＵ１７の通信が断してしまう。上述のような方式をとおして普及している映像配信サービスでは特に、安定的にサービスを供給することが重要なため、装置のＦＷ更新をサービス断なしに完了することが求められる。これを実現する方法として、ＯＳＵ１５を冗長化したＰＯＮプロテクションの適用は有効である。ＰＯＮプロテクションについて下記に述べる。
【００１０】
ＰＯＮを構成する装置およびファイバの一部または全部を冗長化することをＰＯＮプロテクションといい、冗長箇所や冗長方法に応じて様々な方式がある。例えば正常系装置Ｎ台に対して予備系装置１台を備えるというように、正常系と予備系の対応がＮ：１の方式をＮ：１プロテクションと呼び、非特許文献２においてその方式が提案されている。
【００１１】
図３にＮ：１プロテクションの構成例を示す。Ｎ台の正常系ＯＳＵ１５および１台の予備系ＯＳＵ１５が収容された１台のＯＬＴ１７と、１台のＮ×１光スイッチ１６と、Ｎ個のＢ：２光カプラ１８と、Ａ×Ｎ台以下のＯＮＵ１７とが用いられる。ここで、ＡはＯＳＵ１台あたりの最大ＯＮＵ収容数であり、Ｂは１≦Ｂ≦Ａである。但し、コストを考慮しない場合、技術的には、Ｂ＞Ａも可能である。Ｎ台の正常系ＯＳＵは、Ｎ個のＢ：２光カプラ１８の２側における片方のポートに１本の幹線ファイバでそれぞれ接続され、１台の予備系ＯＳＵ１５はＮ×１光スイッチ１６の１側（入力側）に１本の光ファイバで接続される。Ｎ個のＢ：２光カプラ１８の２側におけるもう片方のポートは、Ｎ×１光スイッチ１６のＮ側（出力側）にそれぞれ１本の予備系幹線ファイバで接続され、Ｂ：２光カプラ１８のＢ側は、最大Ｂ本の光ファイバを介して最大Ｂ台のＯＮＵ１７に繋がる。なお、Ｎ×１光スイッチ１６のＮ側には、予備系幹線ファイバとの接続を想定したＮ個のポートとは別に、光ファイバに接続されない開放ポート（ＮＣポートとする）を１個備えるとする。
【００１２】
初期構築時、予備系ＯＳＵ１５からの出力光が、Ｎ×１光スイッチ１６および予備系幹線ファイバを経てＢ：２光カプラ１８より下位部分で、正常系ＯＳＵ１５からの出力光と衝突しないように、予備系ＯＳＵ１５は発光ＯＦＦ状態となった上で、Ｎ×１光スイッチ１６の１側はＮＣポートと経路を確立しているとする。このような系において、正常時、正常系ＯＳＵ１５は光スイッチ１６を介さずにそれぞれ配下のＯＮＵ１７と通信を行う。正常系ＯＳＵ１５のＦＷ更新の際は、その正常系ＯＳＵ１５配下のＯＮＵ１７と予備系ＯＳＵ１５との経路が確立するよう、Ｎ×１光スイッチ１６の経路切替を行い、その正常系ＯＳＵ１５を発光ＯＦＦにするとともに予備系ＯＳＵ１５を発光ＯＮすることによって、該当ＯＮＵは予備系ＯＳＵ１５との通信を開始できる。該当ＯＮＵ１７が予備系ＯＳＵ１５と通信を行っている間に、切替元の正常系ＯＳＵ１５のＦＷ更新を行うことにより、ＯＮＵ１７のサービス断なしにＯＳＵ１５のＦＷ更新が可能となる。
【００１３】
ところで、ＰＯＮ１１におけるＯＮＵ１７はデータ通信を開始する前に、ＯＳＵ１５によるＯＮＵ１７登録およびＯＳＵ１５−各ＯＮＵ１７間の信号伝搬時間の測定を行い、ＯＳＵ１５−ＯＮＵ１７間でリンクを確立しなければならない。例えば非特許文献１記載のＧＥ−ＰＯＮシステムでは、ＭＰＣＰ（Ｍｕｌｔｉ  Ｐｏｉｎｔ  Ｃｏｎｔｒｏｌ  Ｐｒｏｔｏｃｏｌ）の規定に基づくＭＰＣＰフレームの送受信をＯＳＵ１５とＯＮＵ１７の間で行うことによって、登録・信号伝搬時間測定が行われるとともに、ＯＳＵ１５とＯＮＵ１７の間でＭＰＣＰリンクが確立される。そしてＭＰＣＰリンクを確立した後にも、ＯＳＵ１５−ＯＮＵ１７間で、ＯＡＭフレームのやり取りを通してＯＡＭリンクを確立し、さらに認証及び暗号鍵交換を終えて初めて、データ通信を開始できる。
【００１４】
しかしながら、図３の系のようなＯＳＵ１５を冗長化したＰＯＮプロテクションにおける予備系ＯＳＵ（切替先ＯＳＵ）１５は通常、正常系ＯＳＵ（切替元ＯＳＵ）１５配下のＯＮＵ１７に関する登録や認証等の情報（以下、ＯＮＵ情報とする）を切替前に把握していない。つまり、切替先ＯＳＵ１５にとっては、切替元ＯＳＵ１５配下のＯＮＵ１７は未知の存在のため、切替元ＯＳＵ１５から切替先ＯＳＵ１５へのＯＳＵ切替により、切替元ＯＳＵ１５配下のＯＮＵ１７はリンク断してしまう。一旦リンク断すると、データ通信を再開するためには上記のリンク等の再接続が必要となる。このようなリンク再接続の時間も含めて切替中は通信断となるため、ＯＮＵ１７のリンクを維持したままＯＳＵ切替を完了することが求められる。
【００１５】
オペレーション操作によるＯＳＵ切替をＯＮＵリンク断なしに完了する方法として、非特許文献３に、オペレーション操作による切替シーケンスが提案されている。図４に、その切替シーケンスを示す。この切替シーケンスは、集線スイッチ４０をＯＬＴ１４に内蔵した上で、図３のＮ：１プロテクションに適用することを想定している。そのような系において、オペレーション操作により切替コマンドを投入すると、ＣＯＮＴ２０がまず、ＯＬＴ１４内の集線スイッチ４０に対して下りポートの閉塞を、切替元ＯＳＵ１５に対してＤＢＡ（Ｄｙｎａｍｉｃ  Ｂａｎｄｗｉｄｔｈ  Ａｌｌｏｃａｔｉｏｎ）停止を、それぞれ指示し、これによって切替中に流れてくる上り下りフレームをＯＮＵ１７および集線スイッチ４０にてバッファリングする。ここでＤＢＡとは、ＰＯＮシステムにおける上り信号の送信制御方法である。ＯＳＵ１５がＤＢＡを行うことによって、配下のＯＮＵ１７は上りの送信時刻と送信データ量を割り当てられる。ＯＮＵ１７はＤＢＡによる送信割当を得なければ、上りを送信できないので、ＯＳＵ１５がＤＢＡを停止することにより、配下のＯＮＵ１７は内部のバッファに上りフレームを蓄積することになる。
【００１６】
このような下りポート閉塞およびＤＢＡ停止によって、切替中にＯＮＵ１７及び集線スイッチ４０が受信した上り下りフレームの損失を回避できる。また、切替先ＯＳＵ１５が切替中にＯＮＵ情報を設定することによって、ＯＮＵリンク断なしに迅速に切替を完了することもできる。
【００１７】
なお、非特許文献３記載の切替シーケンスでは、切替元ＯＳＵ１５から切替先ＯＳＵ１５へのＯＮＵ情報通知はＣＯＮＴ２０を介して行っているが、本質的な違いはないことから、図４ではＣＯＮＴ２０を介さずにＯＳＵ１５間で直接ＯＮＵ情報をやり取りする記述とした。
【先行技術文献】
【非特許文献】
【００１８】
【非特許文献１】ＩＥＥＥ  Ｓｔｄ  ８０２．３ａｈ，ＣＳＭＡ／ＣＤ  Ａｃｃｅｓｓ  Ｍｅｔｈｏｄ  ａｎｄ  Ｐｈｙｓｉｃａｌ  Ｌａｙｅｒ  Ｓｐｅｃｉｆｉｃａｔｉｏｎｓ，Ａｍｅｎｄｍｅｎｔ：Ｍｅｄｉａ  Ａｃｃｅｓｓ  Ｃｏｎｔｒｏｌ  Ｐａｒａｍｅｔｅｒｓ，Ｐｈｙｓｉｃａｌ  Ｌａｙｅｒｓ，ａｎｄ  Ｍａｎａｇｅｍｅｎｔ  Ｐａｒａｍｅｔｅｒｓ  ｆｏｒ  Ｓｕｂｓｃｒｉｂｅｒ  Ａｃｃｅｓｓ  Ｎｅｔｗｏｒｋｓ，ｐ．１８５−２３４，４２１−４７５
【非特許文献２】Ｄｅｘｉａｎｇ  Ｊｏｈｎ  Ｘｕ  ；  Ｗｅｉ  Ｙｅｎ  ；  Ｅｌｔｏｎ  ＨＯ，“Ｐｒｏｐｏｓａｌ  ｏｆ  ａ  Ｎｅｗ  Ｐｒｏｔｅｃｔｉｏｎ  Ｍｅｃｈａｎｉｓｍ  ｆｏｒ  ＡＴＭ  ＰＯＮ  Ｉｎｔｅｒｆａｃｅ”，ＩＣＣ  ２００１，ｖｏｌ．７，ｐｐ．２１６０−２１６５
【非特許文献３】「Ｎ：１  ＰＯＮプロテクション方式の提案  −ＯＬＴ−光スイッチユニット間の連携とインタフェイスについて−」、信学技報、ＣＳ２０１１−９７、ｐｐ８５−９０、２０１２年１月
【非特許文献４】“ＳＥＲＩＥＳ  Ｇ：ＴＲＡＮＳＭＩＳＳＩＯＮ  ＳＹＳＴＥＭＳ  ＡＮＤ  ＭＥＤＩＡ，ＤＩＧＩＴＡＬ  ＳＹＳＴＥＭＳ  ＡＮＤ  ＮＥＴＷＯＲＫＳ――Ｄｉｇｉｔａｌ  ｓｅｃｔｉｏｎｓ  ａｎｄ  ｄｉｇｉｔａｌ  ｌｉｎｅ  ｓｙｓｔｅｍ−Ｏｐｔｉｃａｌ  ｌｉｎｅ  ｓｙｓｔｅｍｓ  ｆｏｒ  ｌｏｃａｌ  ａｎｄ  ａｃｃｅｓｓ  ｎｅｔｗｏｒｋｓ”，ＩＴＵ−Ｔ  Ｇ．９８３．１，ｐｐ．１１９−１２１
【発明の概要】
【発明が解決しようとする課題】
【００１９】
マルチキャストによる映像配信サービスを利用しているホストの存在下において、サービス断なしに上位のＯＳＵのＦＷ更新を行うために、オペレーション操作によるＯＳＵ切替を行う場合を考える。従来のＯＳＵ切替方法である図４の手順を用いるとすると、切替元ＯＳＵが有する管理テーブルをＯＮＵ情報と併せて、切替先ＯＳＵへ通知することになる。しかしながら、一般的に管理テーブルの情報は莫大なため、これを切替元ＯＳＵから切替先ＯＳＵへ通知するのに要する時間は小さくない。したがって、上り下りフレームをバッファリングしている間に管理テーブル通知のやり取りを行うとすると、バッファリング時間の増大およびフレーム導通停止時間の増大に繋がるため、集線スイッチおよびＯＮＵに対するバッファ容量の増大が必要になったり、遅延の懸念があるといった課題がある。
【００２０】
本発明は、ＯＳＵ切替中の管理テーブル引継ぎが不要となり、切替時間の増大を回避することを目的とする。
【課題を解決するための手段】
【００２１】
本願発明の光通信システムは、ＯＳＵおよび集線スイッチ４０がマルチキャストのプロキシ機能を持つＰＯＮシステムにおいて、事前に（正常通信中に）ＯＳＵ間で管理テーブルを引継いておき、引継ぎ中や引継ぎ完了直後に、テーブル内容の変更が生じた場合（視聴要求や離脱要求を受信した場合）、その差分を実質的なＯＳＵ切替中（上り下りバッファリング中）に切替先ＯＳＵへ引き継ぐ。
【００２２】
正常通信中に、切替元ＯＳＵ１５の有する管理テーブルを切替先ＯＳＵ１５へ事前に引き継がせ、引継ぎ中や引継ぎ完了後に視聴状況に変化があった場合はその差分の内容のみを実質的な切替中（上り下りフレームをバッファリングしている期間）に引き継がせる。これによって、本発明は、切替中に引き継がせる管理テーブル５１の情報をゼロ、または、低減できる。したがって、マルチキャストによる映像配信サービスの利用下においても、高速かつフレームロスなしに、オペレーション操作によるＯＳＵ切替を完了することができる。
【００２３】
具体的には、本願発明の光通信システムは、
複数のＯＳＵ（Ｏｐｔｉｃａｌ  Ｓｕｂｓｃｒｉｂｅｒ  Ｕｎｉｔ）と、
経路を切り替えることで前記ＯＳＵのいずれかと接続可能である少なくとも１のＯＮＵ（Ｏｐｔｉｃａｌ  Ｎｅｔｗｏｒｋ  Ｕｎｉｔ）と、
を備える光通信システムであって、
各ＯＳＵは、自己に接続されている各ＯＮＵの配信チャネルのリストを含むマルチキャストテーブル（以下、ＯＳＵテーブル）を備え、
１のＯＳＵ（以下、切替元ＯＳＵとする。）から他のＯＳＵ（以下、切替先ＯＳＵとする。）へ経路を切り替える際に、前記切替元ＯＳＵの有する前記ＯＳＵテーブルの内容を、前記切替先ＯＳＵの有する前記ＯＳＵテーブルへ反映させた後に、前記切替先ＯＳＵと前記ＯＮＵとの通信を開始する。
【００２４】
本願発明の光通信システムでは、
前記切替元ＯＳＵは、前記ＯＳＵテーブルを前記切替先ＯＳＵへ反映開始後にＯＮＵからマルチキャスト制御信号を受信した場合、当該マルチキャスト制御信号を保持してもよい。
【００２５】
本願発明の光通信システムでは、
前記切替先ＯＳＵは、前記切替先ＯＳＵとＯＮＵとの通信を開始する前に、前記切替元ＯＳＵに保持されている前記マルチキャスト制御信号を、前記切替先ＯＳＵの前記ＯＳＵテーブルへ反映させてもよい。
【００２６】
本願発明の光通信システムでは、
ＯＮＵは、ＯＳＵの指示に従ってマルチキャストフレームを扱うマルチキャストフィルタ機能を備え、
前記切替先ＯＳＵは、前記ＯＳＵテーブルに保持されている前記マルチキャスト制御信号が配信要求である場合、マルチキャストフレームをＯＮＵに接続されている端末装置へ通過させるように前記マルチキャストフィルタを操作するとともに、マルチキャストフレームの配信要求を上位ネットワークへ通知してもよい。
【００２７】
本願発明の光通信システムでは、
ＯＮＵは、ＯＳＵの指示に従ってマルチキャストフレームを扱うマルチキャストフィルタ機能を備え、
前記切替先ＯＳＵは、前記ＯＳＵテーブルに保持されている前記マルチキャスト制御信号が離脱要求である場合、ＯＮＵとの通信開始後に、マルチキャストフレームの配信停止可否を確認するための制御信号をＯＮＵへ送信するとともに、ＯＮＵからの応答を任意の時間だけ待ち、設定された時間の経過以前に応答がない場合、離脱要求のあったマルチキャストフレームを廃棄するようにＯＮＵにおける前記マルチキャストフィルタを操作するとともに、マルチキャストフレームの配信停止要求を上位ネットワークへ通知してもよい。
ＯＳＵが、Ｆａｓｔ−Ｌｅａｖｅ機能を有する場合、
前記切替先ＯＳＵは、前記Ｆａｓｔ−Ｌｅａｖｅ機能を用いて、マルチキャストフレームの配信停止可否を確認し、マルチキャストフレームの配信停止可否を確認するための前記制御信号の送信及び応答待ちを省略することができる。
【００２８】
具体的には、本願発明のＯＳＵ装置は、
複数のＯＳＵ（Ｏｐｔｉｃａｌ  Ｓｕｂｓｃｒｉｂｅｒ  Ｕｎｉｔ）と、
経路を切り替えることで前記ＯＳＵのいずれかと接続可能である少なくとも１のＯＮＵ（Ｏｐｔｉｃａｌ  Ｎｅｔｗｏｒｋ  Ｕｎｉｔ）と、
を備える光通信システムの前記ＯＳＵであって、
自己に接続されている各ＯＮＵの配信チャネルのリストを含むマルチキャストテーブル（以下、ＯＳＵテーブル）を備え、
１のＯＳＵ（以下、切替元ＯＳＵとする。）から他のＯＳＵ（以下、切替先ＯＳＵとする。）へ経路を切り替える際に、前記切替元ＯＳＵの有する前記ＯＳＵテーブルの内容を、前記切替先ＯＳＵの有する前記ＯＳＵテーブルへ反映させた後に、前記切替先ＯＳＵと前記ＯＮＵとの通信を開始する。
【００２９】
具体的には、本願発明のＯＮＵ装置は、
複数のＯＳＵ（Ｏｐｔｉｃａｌ  Ｓｕｂｓｃｒｉｂｅｒ  Ｕｎｉｔ）と、
経路を切り替えることで前記ＯＳＵのいずれかと接続可能である少なくとも１のＯＮＵ（Ｏｐｔｉｃａｌ  Ｎｅｔｗｏｒｋ  Ｕｎｉｔ）と、
を備える光通信システムの前記ＯＮＵであって、
各ＯＳＵは、自己に接続されている各ＯＮＵの配信チャネルのリストを含むマルチキャストテーブル（以下、ＯＳＵテーブル）を備え、
１のＯＳＵ（以下、切替元ＯＳＵとする。）から他のＯＳＵ（以下、切替先ＯＳＵとする。）へ経路を切り替える際に、前記切替元ＯＳＵの有する前記ＯＳＵテーブルの内容を、前記切替先ＯＳＵの有する前記ＯＳＵテーブルへ反映させた後に、前記切替先ＯＳＵとの通信を開始する。
【００３０】
なお、上記各発明は、可能な限り組み合わせることができる。
【発明の効果】
【００３１】
本発明によれば、ＯＳＵ切替中の管理テーブル引継ぎが不要となり、切替時間の増大を回避することができる。
【図面の簡単な説明】
【００３２】
【図１】ＰＯＮシステムの一例を示す。
【図２】マルチキャスト配信を行う際のネットワーク構成の一例を示す。
【図３】Ｎ：１プロテクションの構成例を示す。
【図４】ＯＳＵ切替をＯＮＵリンク断なしに完了するための切替シーケンスの一例を示す。
【図５】実施形態１に係るＯＬＴの構成の一例を示す。
【図６】実施形態１における切替シーケンスの一例を示す。
【図７】実施形態２における切替シーケンスの一例を示す。
【図８】実施形態３における切替シーケンスの一例を示す。
【図９】実施形態４における切替シーケンスの一例を示す。
【発明を実施するための形態】
【００３３】
添付の図面を参照して本発明の実施形態を説明する。以下に説明する実施形態は本発明の実施の例であり、本発明は、以下の実施形態に制限されるものではない。なお、本明細書及び図面において符号が同じ構成要素は、相互に同一のものを示すものとする。
【００３４】
（実施形態１）
図５に、本発明のＯＬＴ構成を示す。実施形態１に係るＯＬＴ１４では、少なくとも予備系ＯＳＵ（正常時、発光ＯＦＦ状態とする）１５を１台含む、合計（Ｎ＋１）台のＯＳＵ１５と、１個のＣＯＮＴ２０と、１個の集線スイッチ４０をそれぞれ備える。各ＯＳＵ１５は、ＰＯＮ−ＩＦ５４とＰＯＮ信号処理部５３とＰＯＮ制御部５２と管理テーブル５１をそれぞれ備える。管理テーブル５１は、自己に接続されている各ＯＮＵ１７の配信チャネルのリストを含むマルチキャストテーブルすなわちＯＳＵテーブルとして機能する。ＣＯＮＴ２０は、オペレーション処理部２２とＯＬＴ制御部２３を備える。集線スイッチ４０は、集線／振分け制御部４５と多重部４６と（Ｎ＋１）個のバッファ４４を備える。ここで各バッファ４４は、上りバッファ及び下りバッファを備える。その他の、説明に不要な構成は省略する。
【００３５】
本構成のＯＬＴ１４は、マルチキャストによる映像配信サービスを利用するホスト２１の存在下における、ＯＳＵ１５を冗長化したＰＯＮプロテクションシステムに適用することを想定しており、そのような系において正常系ＯＳＵ１５のＦＷ更新を行う際に、該当の正常系ＯＳＵ（切替元ＯＳＵ）１５から予備系ＯＳＵ（切替先ＯＳＵ）１５へ高速かつフレームロスなしに切り替えることによって、切替元ＯＳＵ１５配下のホスト２１の映像配信サービス断なしに切替元ＯＳＵ１５のＦＷ更新を行うことを目的としている。ここではマルチキャストに関わる内容を中心に説明・図示するが、本ＯＬＴ１４を適用したＰＯＮプロテクションシステムでは、上記以外の機能ブロック等の働きによりＰＯＮプロテクション本来の目的であるＯＳＵ１５故障時にも、もちろん対応可能である。また、集線スイッチ４０やＣＯＮＴ２０の故障に備えてこれらを二重化したＯＬＴ１４構成も考えられる。
以下、本ＯＬＴの各々の機能ブロックの動作について述べる。
【００３６】
ＰＯＮ−ＩＦ５４は、該当ＰＯＮ−ＩＦ５４に接続されたＯＮＵ１７からの光信号の上りフレームまたは、ＰＯＮ信号処理部５３からの電気信号の下りフレームをそれぞれ受信し、電気信号または光信号に変換してからＰＯＮ信号処理部５３またはＰＯＮ−ＩＦ５４外部（ＯＮＵ側）へ出力する。また、ＰＯＮ制御部５２からの発光ＯＮ／ＯＦＦ指示を受信し、その指示に従って発光状態から発光を停止したり、発光停止状態から発光を開始したりする。
【００３７】
ＰＯＮ信号処理部５３は、ＰＯＮ−ＩＦ５４からの電気信号の上りフレームを受信し、それが視聴要求（配信要求）や離脱要求の場合、その内容をＰＯＮ制御部５２へ通知する。ＰＯＮ制御部５２から上位への転送指示があった場合は、ＰＯＮ−ＩＦ５４からの視聴要求や離脱要求を集線スイッチ４０の上りバッファ４４へ送信する。また、集線スイッチ４０のバッファ４４からの電気の下りフレームを受信し、それがマルチキャストフレームの場合はブロードキャストアドレスを付与してＰＯＮ−ＩＦ５４へ送信する。
【００３８】
ＰＯＮ制御部５２は、ＰＯＮ信号処理部５３からの視聴要求および離脱要求を受信した場合、自身の管理テーブル５１からテーブル情報を取得して該当の要求と照らし合わせ、その結果、新規に配信開始が必要な場合や配信停止が必要な場合は、該当の要求を上位へ転送するよう、ＰＯＮ信号処理部へ指示を出す。ここで、新規に配信開始が必要な場合は、例えば、視聴要求のあったチャネルを、自配下のどのＯＮＵも受信（視聴）していない場合である。配信停止が必要な場合は、例えば、離脱要求のあったチャネルを自配下のどのＯＮＵも受信（視聴）していない場合である。
【００３９】
また、ＰＯＮ制御部５２は、受信した該当要求の内容に従って、管理テーブル５１へ更新指示を出す。例えば、ＰＯＮ制御部５２は、ＣＯＮＴ２０のＯＬＴ制御部２３から管理テーブル情報転送指示を受信した場合、自身が保持する管理テーブル５１から管理テーブル情報を取得し、その内容を指定された別のＯＳＵ１５のＰＯＮ制御部５２へ転送する。ＰＯＮ制御部５２は、ＤＢＡ停止指示を受信した場合、配下の全ＯＮＵ１７に対して上り送信許可を通知するフレーム（Ｇａｔｅ）の送信を停止する。ＰＯＮ制御部５２は、発光ＯＮ／ＯＦＦ送信指示を受信した場合、ＰＯＮ−ＩＦ５４へ、その内容の通りに発光ＯＮまたは発光ＯＦＦを指示する。
【００４０】
また、ＰＯＮ制御部５２は、テーブル情報転送指示受信後、視聴状況の変化、すなわち配下のＯＮＵ１７からの視聴要求および離脱要求の有無を監視することができる。その監視期間中にＰＯＮ信号処理部５３から視聴要求や離脱要求を受信した場合は、その内容を監視期間が完了するまで保持しておき、監視期間完了後に、保持していたその内容を視聴状況変更内容として、指定された別のＯＳＵ１５のＰＯＮ制御部５２へ通知する。監視期間中に視聴要求や離脱要求を受信しなかった場合は、設定完了通知をＯＬＴ制御部２３へ通知する。ここで、監視期間中に視聴要求または離脱要求を受信した切替元ＯＳＵ１５は、その要求に基づく自身の管理テーブル５１の更新を、その要求受信後の監視期間中に行っても良いし、監視期間完了後に行っても良い。
【００４１】
別のＯＳＵ１５のＰＯＮ制御部５２からの、管理テーブル情報を受信した場合、ＰＯＮ制御部５２はその内容の通りに自身の保持する管理テーブル５１へ更新指示を出すとともに、更新完了後、事前設定完了通知をＣＯＮＴ２０へ送信する。ここで、ＰＯＮ制御部５２は、送信元である別のＯＳＵ１５のＰＯＮ制御部５２を介してＣＯＮＴ２０へ通知してもよい。さらに、視聴状況変更内容を別のＯＳＵ１５のＰＯＮ制御部５２から受信した場合は、その内容の通りに自身の保持する管理テーブル５１へ更新指示を出すとともに、設定完了通知をＣＯＮＴ２０へ送信する。
【００４２】
管理テーブル５１は、配下のＯＮＵ１７と視聴中のチャネルの対応を記した一覧表である。ＰＯＮ制御部５２からの更新指示に従って管理テーブル５１を更新する。また、ＰＯＮ制御部５２から管理テーブル情報取得の要請があった場合は、その時の管理テーブル５１の内容をＰＯＮ制御部５２へ通知する。
【００４３】
オペレーション処理部２２は、オペレータにより入力されたコマンドに応じた処理を行う。切替元ＯＳＵ１５と切替先ＯＳＵ１５を指定した切替コマンドが入力された場合、オペレーション処理部２２は、切替元ＯＳＵ１５と切替先ＯＳＵ１５の番号（切替ＯＳＵ情報）をＯＬＴ制御部２３へ通知し、オペレーションによるＯＳＵ切替の処理を開始させる。
【００４４】
ＯＬＴ制御部２３は、オペレーション処理部２２から切替ＯＳＵ情報を受信すると、管理テーブル情報転送指示を、指定された切替元ＯＳＵ１５のＰＯＮ制御部５２へ送信する。指定された切替先ＯＳＵ１５のＰＯＮ制御部５２から事前設定完了通知を受信した場合、ＯＬＴ制御部２３は、集線／振分け制御部４５へＶＩＤ収容先変更通知を送信するとともに、ＤＢＡ停止指示を切替元ＯＳＵ１５へ送信する。切替先ＯＳＵ１５（監視期間中に視聴状況の変化があった場合）または切替元ＯＳＵ１５（監視期間中に視聴状況の変化がなかった場合）のＰＯＮ制御部５２から設定完了通知を受信した場合、ＯＬＴ制御部２３は、切替元ＯＳＵ１５のＰＯＮ制御部５２へ発光ＯＦＦ指示を、切替先ＯＳＵ５２のＰＯＮ制御部５２へ発光ＯＮ指示を、それぞれ送信するとともに、集線／振分け制御部４５へ切替完了通知を送信する。
【００４５】
集線／振分け制御部４５は、各ＯＳＵ１５が収容するＯＮＵ１７のＶＩＤ番号を登録・把握しており、この情報に従って、多重部４６が受信する下りフレームの出力すべき下りバッファ４４を指示する。ＯＬＴ制御部２３からのＶＩＤ収容先変更通知を受信した場合は、その内容のとおりに、自身に登録されたＯＳＵ−収容ＶＩＤ番号の対応情報を変更するとともに、該当ＶＩＤの新たな収容先となる切替先ＯＳＵ１５に対応する下りバッファ４４からの下りフレームの出力を停止する。また、集線／振分け制御部４５は自身に予め設定された任意のスケジューリング方法によって、各上りバッファ４４に蓄積された上りフレームの送信順位を決定し、決定した送信順位を多重部４６へ通知する。ＯＬＴ制御部２３から切替完了通知を受信した場合、集線／振分け制御部４５は、下りフレームの出力を停止していた該当下りバッファ４４に対して、下りフレームの出力許可を出す。
【００４６】
多重部４６は、ＯＬＴ１４より上位からの下りフレームを受信し、受信フレームのＶＩＤ番号と集線／振分け制御部４５からの指示に従って、該当の下りバッファ４４へ出力する。また、集線／振分け制御部４５から通知された送信順位に従って、該当上りバッファ４４へ上りフレームの出力を指示する。そして、それらの上りバッファ４４から上りフレームを受信し、順次、上位へ出力する。
【００４７】
上りバッファ４４は、対応するＰＯＮ信号処理部５３からの上りフレームを受信及び蓄積するとともに、多重部４６の指示に従って順次、多重部４６へ出力する。一方、下りバッファ４４は、多重部４６からの下りフレームを受信及び蓄積するとともに、多重部４６の指示に従って順次、該当ＰＯＮ信号処理部５３へ出力する。また、下りバッファ４４は、集線／振分け制御部４５からの出力停止／出力許可の指示に従って、下りフレームの出力の停止や開始が可能である。
【００４８】
以上のような動作の機能ブロックからなるＯＬＴ１４を、ＯＳＵ１５を冗長化したＰＯＮプロテクションのシステムに適用することで、ＯＮＵ１７のサービス断なしにＯＳＵ切替が可能となり、したがって切替元ＯＳＵ１５のＦＷ更新が可能となる。
【００４９】
図６に、本ＯＬＴ１４を用いてＯＳＵ１５を冗長化したＰＯＮシステムにおける、オペレーション操作によるＯＳＵ切替シーケンスを示す。なお、切替前の正常時において、切替先ＯＳＵ１５の下り光と切替元ＯＳＵ１５の下り光とが衝突することのないよう、正常時、切替先ＯＳＵ１５は発光ＯＦＦ状態とする。
【００５０】
正常時、ＯＳＵ１５は視聴中のホストを接続する配下のＯＮＵ１７に対して、該当チャネルのマルチキャストフレームを転送している。オペレーション操作によるＯＳＵ切替を行うために、切替元ＯＳＵ１５と切替先ＯＳＵ１５を明示した切替コマンドがＣＯＮＴ２０に投入されると、ＣＯＮＴ２０は管理テーブル５１を正常時のうちにＯＳＵ１５間で引き継がせるために、切替元ＯＳＵ１５へ管理テーブル転送指示を出す。
【００５１】
切替元ＯＳＵ１５はＣＯＮＴ２０からの管理テーブル転送指示を受信すると、自身が保有する管理テーブル５１の内容を切替先ＯＳＵ１５へ転送する。また、転送後にテーブル内容が変更された際は後ほどその内容を通知するために、切替元ＯＳＵ１５は、管理テーブル５１の転送開始とともに、視聴状況の監視を開始する。したがって、この視聴状況の監視期間中に視聴要求や離脱要求を受信した場合、切替元ＯＳＵ１５はそれらの内容を監視期間が終了するまで保持しておく。
【００５２】
切替先ＯＳＵ１５は、切替元ＯＳＵ１５から転送された内容のとおりに自身の管理テーブル５１を更新した後、事前設定完了通知をＣＯＮＴ２０へ通知する。なお、この通知は、切替元ＯＳＵ１５を介して通知してもよい。
【００５３】
ＣＯＮＴ２０は事前設定完了通知を受信すると、切替元ＯＳＵ１５に紐づけられていたＶＩＤの収容先が切替先ＯＳＵ１５へ変更する旨のＶＩＤ収容先変更指示を、集線スイッチ４０へ送信するとともに、切替元ＯＳＵ１５へＤＢＡ停止指示を送信する。
集線スイッチ４０は、ＶＩＤ収容先変更指示を受信すると、その内容のとおりにＶＩＤとＯＳＵ１５の紐付けの登録を変更するとともに、切替先ＯＳＵ１５に対応する下りバッファ４４の出力を停止し、切替元ＯＳＵ１５配下のＯＮＵ１７宛のマルチキャストフレームのバッファリングを開始する。これ以降、バッファリング開放の指示を受けるまでは、下りフレームの導通が停止することになる。
【００５４】
切替元ＯＳＵ１５はＤＢＡ停止指示を受信すると、配下のＯＮＵ１７に対する上り送信許可の割当（Ｅ−ＰＯＮシステムにおけるＧａｔｅメッセージの送信）を停止する。これにより、ＤＢＡが再開されるまでの間、上りフレームの導通が停止する。また、ＤＢＡ停止直前に配下のＯＮＵ１７へ送信した最後のＧａｔｅに対する上り信号を受信できるのに十分な待ち時間を経て、視聴状況の監視を終了する。なお、ＤＢＡ停止により、ＯＮＵは視聴要求や離脱要求をＯＳＵ１５へ送信できないので、これ以降に視聴状況が変化することはない。この視聴状況監視期間中に視聴状況の変化があったのであれば、切替元ＯＳＵ１５は視聴状況の変更内容として保持していた情報を切替先ＯＳＵ１５へ転送し、視聴状況に変化がなかったのであれば、設定完了通知をＣＯＮＴ２０へ通知する。
【００５５】
切替先ＯＳＵ１５は、切替元ＯＳＵ１５から管理テーブル５１の変更内容を受信した場合、自身の管理テーブル５１に変更内容を反映した上で、設定完了通知をＣＯＮＴ２０へ送信する。
【００５６】
ＣＯＮＴ２０は設定完了通知を受信すると、切替元ＯＳＵ１５から切替先ＯＳＵ１５への管理テーブル５１の引き継ぎが完了したことを認識する。そして切替先ＯＳＵ１５をとおしてマルチキャストフレームの転送を開始するために、切替元ＯＳＵ１５へ発光ＯＦＦ指示を、切替先ＯＳＵ１５へ発光ＯＮ指示を、それぞれ送信するとともに、バッファリングしていた下りフレームの開放を促す切替完了通知を集線スイッチ４０へ送信する。これにより下りフレームの導通が再開され、上りフレームも発光ＯＮによりＤＢＡが再開されるので、導通再開となる。なお、切替先ＯＳＵ１５は、切替中に管理テーブル５１の変更内容を受信していた場合、必要に応じてその変更内容に対する処理を発光ＯＮ後に行う。
【００５７】
以上のように、管理テーブル５１を事前に（正常通信中に）切替先ＯＳＵ１５へ引き継がせることによって、データ導通停止となる実質的な切替時間への影響がなくなる。また、事前引継ぎ中に視聴状況の変化が生じても、それを監視し、切替中にその変化分のみを引き継がせることによって、実質的な切替中に引き継ぐ情報を小さくでき、そして、最新の視聴状況を反映した上で切替完了後の通信を再開できる。この結果、高速かつフレームロスなしにＯＳＵ切替を完了できるので、映像サービス断なしに切替元ＯＳＵ１５のＦＷ更新が可能となる。
【００５８】
（実施形態２）
視聴状況監視中に、ＯＮＵ１７からの視聴要求を切替元ＯＳＵ１５が受信した場合の、オペレーション操作によるＯＳＵ切替シーケンスを図７に示す。
切替元ＯＳＵ１５は、視聴状況監視中に配下のＯＮＵ（ＯＮＵｘとする）１７から任意のチャネル（チャネルｘとする）の視聴要求を受信すると、切替先ＯＳＵ１５へ転送中または転送済みの、自身の管理テーブル５１における、ＯＮＵｘとチャネルｘの対応する欄を見て、すでにＯＮＵｘへチャネルｘのマルチキャストフレームを配信中であるか、それとも未配信であるかを調べる。ここでは未配信であるとすると、切替元ＯＳＵ１５は、ＯＮＵｘからチャネルｘの視聴要求があったことを把握しておき、ＣＯＮＴ２０からのＤＢＡ停止指示の受信を経て視聴状況監視を終了したときに、切替先ＯＳＵ１５へ、ＯＮＵｘからチャネルｘの視聴要求があった旨を通知する。
【００５９】
切替先ＯＳＵ１５は、事前に引き継いだ管理テーブル５１において、ＯＮＵｘとチャネルｘの対応欄を、視聴中の旨に更新し、設定完了をＣＯＮＴ２０へ通知する。そしてＣＯＮＴ２０からの指示により発光開始したときに、ＯＮＵｘに対して、チャネルｘのマルチキャストフレームを透過させるためにマルチキャストフィルタを開くよう指示するとともに、集線スイッチ４０へ視聴要求を転送する。
【００６０】
以上より、チャネルｘのマルチキャストフレームが、集線スイッチ４０を経て切替先ＯＳＵ１５へ送信されるので、切替先ＯＳＵ１５はそれを配下のＯＮＵ１７へブロードキャストする。該当マルチキャストフィルタを開いたＯＮＵｘがそれを透過することによって、ＯＮＵｘ配下のホスト２１は、チャネルｘの視聴を切替完了後に速やかに開始できる。
【００６１】
なお、ここでは図示しないが、視聴状況監視中にＯＮＵｘからチャネルｘの視聴要求を受信したとき、ＯＮＵｘに対してチャネルｘをすでに配信中である場合、切替元ＯＳＵ１５は視聴状況監視を終了したときに、切替先ＯＳＵ１５とのやりとりなしに設定完了通知をＣＯＮＴ２０へ送信すればよい。そして切替先ＯＳＵ１５は、発光ＯＮ後に、ＯＮＵ１７へのマルチキャストフィルタオープン指示や集線スイッチ４０への視聴要求転送をする必要はない。
【００６２】
（実施形態３）
視聴状況監視中に、ＯＮＵ１７からの離脱要求を切替元ＯＳＵ１５が受信した場合の、オペレーション操作によるＯＳＵ切替シーケンスを図８に示す。
切替元ＯＳＵ１５が視聴状況監視中に、チャネルｘを配信していたＯＮＵｘからの離脱要求を受信したとき、切替元ＯＳＵ１５は、ＯＮＵｘから離脱要求があったことを監視終了後に切替先ＯＳＵ１５へ通知する。切替元ＯＳＵ１５からの通知により、切替先ＯＳＵ１５はその旨を把握した上で設定完了通知をＣＯＮＴ２０へ送信する。そしてＣＯＮＴ２０からの指示により発光開始したときに、ＯＮＵｘへのチャネルｘの配信停止可否を確認するため、ＯＮＵｘに対してＳｐｅｃｉｆｉｃ−Ｑｕｅｒｙを送信する。切替先ＯＳＵ１５は、このＳｐｅｃｉｆｉｃ−Ｑｕｅｒｙに対するＯＮＵからの応答有無を任意の時間だけ待つ。応答がなければＯＮＵｘへのチャネルｘの配信を停止するため、ＯＮＵｘへ該当マルチキャストフィルタのクローズを指示するとともに、自身の管理テーブル５１におけるＯＮＵｘとチャネルｘの対応欄を更新する。また、切替先ＯＳＵ１５配下のＯＮＵ１７の中にチャネルｘを視聴しているホストがなければ、集線スイッチ４０に対してチャネルｘのマルチキャストフレームを停止するよう、配信停止指示を出す。
【００６３】
以上より、視聴状況監視中に切替元ＯＳＵが離脱要求を受信しても、その要求を切替先ＯＳＵが切替中に引継ぎ、切替完了後にすぐに該当チャネルの配信停止可否の確認処理を行うため、無駄なマルチキャストフレームがＰＯＮ区間に流れ続けることはない。
【００６４】
（実施形態４）
実施形態３に示したように、ホスト２１から離脱要求があった場合、ＯＳＵ１５は配信停止を上位装置へ要求する前に、一般的にＳｐｅｃｉｆｉｃ−Ｑｕｅｒｙをそのホスト２１へ送信してその応答を待つことによって、配信停止可否を確認する。しかし、Ｆａｓｔ−Ｌｅａｖｅと呼ばれる、離脱要求の際にこのようなホスト２１への配信停止可否の確認なしに即座に配信停止できる機能が知られている。本実施形態では、Ｆａｓｔ−Ｌｅａｖｅをサポートする系を考える。そのような系において、視聴状況監視中に、ＯＮＵ１７からの離脱要求を切替元ＯＳＵ１５が受信した場合の、オペレーション操作によるＯＳＵ切替シーケンスを図９に示す。
【００６５】
切替先ＯＳＵが発光ＯＮするまでの動作は、図８と同様のため、ここでは説明しない。本実施形態ではＳｐｅｃｉｆｉｃ−Ｑｕｅｒｙを送信する必要がないので、切替先ＯＳＵは発光ＯＮ後、直ちに配信停止を集線スイッチへ送信するとともに、離脱要求を送信した該当ホストを接続するＯＮＵに対して、離脱したチャネルに相当するマルチキャストフレームを通過させないよう、マルチキャストフィルタのクローズを指示する。
【００６６】
以上のように、Ｆａｓｔ−Ｌｅａｖｅが有効な系では、実施形態３と比べてＳｐｅｃｉｆｉｃ−Ｑｕｅｒｙの応答待ち時間が不要になる分だけ、配信停止を早く実行できる。
【００６７】
以上、実施形態１〜実施形態４に示したようなシーケンスを、図３に示したＮ：１構成や非特許文献４記載のＴｙｐｅ  Ｂ構成等の、ＯＳＵを冗長化したＰＯＮプロテクションに適用することによって、マルチキャストによる映像配信サービス利用下であっても、オペレーション操作によるＯＳＵ切替を映像断なしに迅速に完了することができる。
【産業上の利用可能性】
【００６８】
本発明は情報通信産業に適用することができる。
【符号の説明】
【００６９】
１０：光伝送路
１１：ＰＯＮ
１２：Ｌ２ＳＷ
１３：コアネットワーク
１４：ＯＬＴ
１５：ＯＳＵ
１６：Ｎ×１光スイッチ
１７：ＯＮＵ
１８：光カプラ
１９：光ファイバ
２０：制御盤（ＣＯＮＴ）
２１：ホスト
２２：オペレーション処理部
２３：ＯＬＴ制御部
３１：マルチキャストルータ
３２：映像配信サーバ
４０：集線スイッチ
４４：バッファ
４５：集線／振分け制御部
４６：多重部
５１：管理テーブル
５２：ＰＯＮ制御部
５３：ＰＯＮ信号処理部
５４：ＰＯＮ−ＩＦ
【図１】
2015073195.tif 000003
【図２】
2015073195.tif 000004
【図３】
2015073195.tif 000005
【図４】
2015073195.tif 000006
【図５】
2015073195.tif 000007
【図６】
2015073195.tif 000008
【図７】
2015073195.tif 000009
【図８】
2015073195.tif 000010
【図９】
2015073195.tif 000011